(57)【要約】【課題】破砕された生ゴミを含んだ生ゴミ排水及び一般台所排水等の被処理水を処理する処理槽の小型化が図られる生ゴミ処理システムを提供する。【解決手段】処理槽２２は第１隔壁２３及び第２隔壁２４により好気分解槽２５、固液分離槽２６及び好気処理槽２７に区画した。固液分離槽２６は第３隔壁２８により排水流入室２９と固液分離室３０とにさらに区画した。第３隔壁２８には排水流入室２９と固液分離室３０とをそれらの底部において連通する第１連通口３２を設けた。第１隔壁２３には好気分解槽２５と固液分離室３０とをそれらの底部において連通する第２連通口３３を設けると共に第１隔壁２３の上部には排水流入室２９の生ゴミ懸濁液を好気分解槽２５へ移流する第１オーバーフロー部３４を設けた。第２隔壁２４の上部には固液分離室３０の生ゴミ懸濁液を好気処理槽２７へ移流する第２オーバーフロー部３５を設けた。【選択図】      図１
2005131555.tif 000002
【特許請求の範囲】
【請求項１】
破砕機により破砕された生ゴミ破砕物を含む生ゴミ排水を浄化処理する処理槽を備えた生ゴミ処理システムにおいて、
前記処理槽は、
移送手段により移流されてきた生ゴミ排水を固形分である生ゴミ破砕物と液体分である生ゴミ懸濁液とに分離する固液分離槽と、
前記固液分離槽の前段に配置されると共に当該固液分離槽により分離された生ゴミ破砕物が移流され当該生ゴミ破砕物を可溶化処理する好気分解槽と、
前記固液分離槽の後段に配置されると共に当該固液分離槽の生ゴミ懸濁液及び前記好気分解槽における可溶化処理済みの生ゴミ懸濁液のみが移流され両生ゴミ懸濁液をそれぞれ好気処理する好気処理槽とを備えた生ゴミ処理システム。
【請求項２】
前記処理槽は第１隔壁及び第２隔壁により好気分解槽、固液分離槽及び好気処理槽に区画し、
前記固液分離槽は浮遊破砕物移流防止壁により前記移送手段からの生ゴミ排水が移流される排水流入室と前記固液分離槽内の生ゴミ懸濁液及び前記好気分解槽における可溶化処理済みの生ゴミ懸濁液が移流される固液分離室とにさらに区画し、
前記浮遊破砕物移流防止壁には排水流入室と固液分離室とをそれらの底部において連通する第１連通口を設け、
前記第１隔壁には固液分離室と好気分解槽とをそれらの底部において連通する第２連通口を設けると共に当該第１隔壁の上部には生ゴミ排水の流入に伴う排水流入室のオーバーフロー分の生ゴミ懸濁液を前記好気分解槽へ移流可能とした第１オーバーフロー部を設け、
前記第２隔壁の上部には生ゴミ排水の流入に伴う固液分離室のオーバーフロー分の生ゴミ懸濁液を好気処理槽へ移流可能とした第２オーバーフロー部を設けるようにした請求項１に記載の生ゴミ処理システム。
【発明の詳細な説明】
【技術分野】
【０００１】
本発明は、破砕機により破砕された生ゴミ破砕物を含む生ゴミ排水を浄化処理する生ゴミ処理システムに関するものである。
【背景技術】
【０００２】
生ゴミ破砕機を利用する家庭用生ゴミ処理システムとしては、例えば特許文献１に示される構成が知られている。この生ゴミ処理システムは分離装置、前処理槽、嫌気槽、好気槽及び処理水槽を備えている。分離装置は生ゴミ破砕機により破砕された生ごみの固形物懸濁液を固液分離する。前処理槽は前記分離装置によって分離された固形物が移流される第１の室（下室）及び前記分離装置を通過する懸濁物液が移流される第２の室（上室）とをさらに備えている。固形物懸濁液は分離装置により固液分離（固形物と懸濁物液に分離）される。固形物は前処理槽の第１の室に移流して槽底部へ沈降し、懸濁物液は前処理槽の第２の室に移流する。固形物懸濁液中の固形物は第１の室において可溶化される。第１の室により処理された処理水は嫌気槽へ移流され、処理水中の有機物は嫌気槽内の微生物付着体に付着した嫌気性微生物により分解処理される。嫌気槽により処理された処理水は好気槽内へ移流し、当該好気槽内へ移流した処理水中の有機物は好気槽内の微生物付着体に付着した好気性微生物により好気分解処理される。好気槽において処理された処理済み水は処理水槽に移流する。処理水槽内の処理済み水の一部は前処理槽へ戻されると共に残りの処理済み水は装置外に排出される。
【０００３】
また、特許文献２に示されるような生ゴミ処理システムも知られている。この生ゴミ処理システムは、厨芥排水に含まれる固形物中の無機性固形物を分離する沈砂槽、無機性固形物が除去された厨芥排水を処理する好気性消化槽、好気性消化槽中の内部液を濃縮された有機性固形物・汚泥と分離排水とに分離する沈殿槽及び沈殿槽により分離された分離排水を好気的生物処理するための排水処理槽を備えている。排水処理槽で処理された処理水は槽外に放流される。
【特許文献１】特開２０００−２７１５９４号公報
【特許文献２】特開２０００−２７９９８９号公報
【発明の開示】
【発明が解決しようとする課題】
【０００４】
ところが、特許文献１に記載の生ゴミ処理システムにおいては、前処理槽の前段に分離装置を配置することにより固形物懸濁液中の固形物の好気槽への流れ込みを阻止するようにしている。しかし、分離装置を通り抜けた固形物懸濁液中の浮遊物は前処理槽へ流れ込み、前処理槽へ流れ込んだ浮遊物が好気槽へ流れ込むおそれがある。このような場合には好気処理性能が低下してしまう。このため、前記浮遊物が好気槽へ流れ込むことを防止するために当該好気槽の前段には前記浮遊物を可溶化する嫌気槽を設ける必要があった。嫌気槽の処理能力を確保するために当該嫌気槽の容積は一定以上確保する必要があるので、当該嫌気槽の小型化、ひいては生ゴミ処理システム全体の小型化には限界があった。
【０００５】
また、特許文献２に記載の生ゴミ処理システムにおいては、沈殿槽の容量以上の厨芥排水（被処理水）が沈砂槽に流入した場合、好気性消化槽の汚泥を含む内部水が沈殿槽から溢れて排水処理槽に流入流出することとなる。従って、処理能力を確保するために沈殿槽の容積を一定以上確保する必要があり小型化には限界があった。
【０００６】
本発明は前記問題点を解決するためになされたものであって、その目的は、破砕された生ゴミを含んだ生ゴミ排水及び一般台所排水等の被処理水を処理する処理槽の小型化が図られる生ゴミ処理システムを提供することにある。
【課題を解決するための手段】
【０００７】
請求項１に記載の発明は、破砕機により破砕された生ゴミ破砕物を含む生ゴミ排水を浄化処理する処理槽を備えた生ゴミ処理システムにおいて、前記処理槽は、移送手段により移流されてきた生ゴミ排水を固形分である生ゴミ破砕物と液体分である生ゴミ懸濁液とに分離する固液分離槽と、前記固液分離槽の前段に配置されると共に当該固液分離槽により分離された生ゴミ破砕物が移流され当該生ゴミ破砕物を可溶化処理する好気分解槽と、前記固液分離槽の後段に配置されると共に当該固液分離槽の生ゴミ懸濁液及び前記好気分解槽における可溶化処理済みの生ゴミ懸濁液のみが移流され両生ゴミ懸濁液をそれぞれ好気処理する好気処理槽とを備えたことを要旨とする。
【０００８】
請求項２に記載の発明は、請求項１に記載の発明において、前記処理槽は第１隔壁及び第２隔壁により好気分解槽、固液分離槽及び好気処理槽に区画し、前記固液分離槽は浮遊破砕物移流防止壁により前記移送手段からの生ゴミ排水が移流される排水流入室と前記固液分離槽内の生ゴミ懸濁液及び前記好気分解槽における可溶化処理済みの生ゴミ懸濁液が移流される固液分離室とにさらに区画し、前記浮遊破砕物移流防止壁には排水流入室と固液分離室とをそれらの底部において連通する第１連通口を設け、前記第１隔壁には固液分離室と好気分解槽とをそれらの底部において連通する第２連通口を設けると共に当該第１隔壁の上部には生ゴミ排水の流入に伴う排水流入室のオーバーフロー分の生ゴミ懸濁液を前記好気分解槽へ移流可能とした第１オーバーフロー部を設け、前記第２隔壁の上部には生ゴミ排水の流入に伴う固液分離室のオーバーフロー分の生ゴミ懸濁液を好気処理槽へ移流可能とした第２オーバーフロー部を設けるようにしたことを要旨とする。
【０００９】
（作用）
請求項１に記載の発明によれば、移送手段により移流されてきた生ゴミ排水は固液分離槽により生ゴミ破砕物と生ゴミ懸濁液とに分離される。固液分離槽により分離された生ゴミ破砕物（固液分離槽内において沈降する沈降破砕物及び同じく水面に浮遊する浮遊破砕物を含む）は当該固液分離槽の前段に配置された好気分解槽へのみ移流し、当該好気分解槽において可溶化処理される。固液分離槽により分離された生ゴミ破砕物が後段の好気処理槽へ移流することはない。また、固液分離槽の生ゴミ懸濁液及び前記好気分解槽から移流されてきた可溶化処理済みの生ゴミ懸濁液は固液分離槽の後段に配置された好気処理槽へ移流され、当該好気処理槽において好気処理される。
【００１０】
生ゴミ排水は好気分解槽において生ゴミ破砕物と生ゴミ懸濁液とに分離されるので、生ゴミ排水を処理槽に流し込む前に生ゴミ排水を生ゴミ破砕物と生ゴミ懸濁液とに分離する分離装置を処理槽の前段に別途設ける必要はない。また、生ゴミ破砕物は好気分解槽へのみ移流して好気処理槽へ移流することはないので、好気処理槽の処理性能を低下させる生ゴミ破砕物を当該好気処理槽の前段で前処理する必要がない。従って、生ゴミ破砕物を嫌気処理するための嫌気分解槽を好気処理槽の前段に設ける必要がない。このため、好気処理槽への未処理生ゴミ破砕物の流入を防止するために好気処理槽の前段に嫌気分解槽を設けるようにした場合に比べて、処理槽の小型化が図られる。
【００１１】
請求項２に記載の発明によれば、請求項１に記載の発明の作用に加えて、前記移送手段からの生ゴミ排水は排水流入室に移流される。排水流入室の生ゴミ懸濁液は第１連通口を介して固液分離室内に移流する。排水流入室の生ゴミ破砕物のうち沈降破砕物は第２連通口を介して好気分解槽内へ移流する。排水流入室において、生ゴミ排水の流入に伴うオーバーフロー分の生ゴミ懸濁液は生ゴミ破砕物のうちの浮遊破砕物と共に第１オーバーフロー部を介して好気分解槽へ移流する。好気分解槽における可溶化処理済みの生ゴミ懸濁液は第２連通口を介して固液分離室内へ移流する。生ゴミ排水の排水流入室への流入に伴って、固液分離室内の生ゴミ懸濁液は第２オーバーフロー部を介して好気処理槽へ移流する。排水流入室内において、水面に浮遊している浮遊破砕物の固液分離室への移流は浮遊破砕物移流防止壁により規制される。この結果、生ゴミ破砕物と生ゴミ懸濁液とはより確実に分離される。
【発明の効果】
【００１２】
本発明によれば、破砕された生ゴミを含んだ生ゴミ排水及び一般台所排水等の被処理水を処理する処理槽の小型化が図られる。
【発明を実施するための最良の形態】
【００１３】
以下、本発明を生ゴミ処理システムに具体化した一実施形態を図１に従って説明する。
（生ゴミ処理システム全体の構造）
図１に示すように、生ゴミ処理システム１１は、キッチンシンクの底部に設けられた破砕機１２及び屋外に設置された地上設置式の処理装置１３を備えている。破砕機１２と処理装置１３とは移送管１４を介して相互に接続されている。破砕機１２により破砕された生ゴミ破砕物を含んだ排水（以下、「生ゴミ排水」という。）は移送管１４を介して処理装置１３内へ移送される。
【００１４】
（処理槽）
図１に示すように、処理装置１３のケーシング２１内には処理槽２２が配置されている。処理槽２２内は第１隔壁２３及び第２隔壁２４により好気分解槽２５、固液分離槽２６及び好気処理槽２７の３つの槽に区画されている。固液分離槽２６は浮遊破砕物移流防止壁としての第３隔壁２８により排水流入室２９及び固液分離室３０の２つの室にさらに区画されている。排水流入室２９の上方には移送管１４の出口が配置されており、該移送管１４からの生ゴミ排水は排水流入室２９に流入可能となっている。
【００１５】
第１隔壁２３の下部は第２隔壁２４側（好気処理槽２７側）に傾斜しており固液分離槽２６の底壁３１を構成している。底壁３１と第３隔壁２８の下端縁との間には排水流入室２９と固液分離室３０とを連通する第１連通口３２が形成されている。また、底壁３１の下端縁と第２隔壁２４との間には好気分解槽２５と固液分離槽２６とを連通する第２連通口３３が形成されている。
【００１６】
第１隔壁２３の上部には第１オーバーフロー部３４が形成されている。生ゴミ排水の排水流入室２９への流入時において、排水流入室２９内のオーバーフロー分の生ゴミ排水は第１オーバーフロー部３４を介して好気分解槽２５内に流入可能とされている。第２隔壁２４の上部には第２オーバーフロー部３５が形成されている。排水流入室２９内の生ゴミ排水が第１連通口３２を介して固液分離室３０へ流入する際において、当該固液分離室３０内のオーバーフロー分の生ゴミ排水は第２オーバーフロー部３５を介して好気処理槽２７内に流入可能とされている。処理槽２２において、好気処理槽２７に面する側壁（即ち、処理槽２２の第２隔壁２４に対向する側壁）の上部には流出口３６が形成されている。好気処理槽２７のオーバーフロー分の生ゴミ排水は流出口３６を介してケーシング２１の外部に流出可能とされている。
【００１７】
（固液分離槽）
固液分離槽２６は移送管１４から移送されてきた生ゴミ排水に含まれる固形分（生ゴミ破砕物）と液体分（生ゴミ懸濁液）とを分離する。排水流入室２９は、移送管１４から流入してきた生ゴミ排水の沈殿処理を行う。生ゴミ破砕物のうち沈降破砕物は排水流入室２９内を沈降し、底壁３１に案内されながら第１連通口３２を通過し、さらに第２連通口３３を介して好気分解槽２５内に移流可能となっている。生ゴミ破砕物のうち排水流入室２９の水面に浮遊する浮遊破砕物は、当該排水流入室２９のオーバーフロー分の生ゴミ懸濁液と共に第１オーバーフロー部３４を介して好気分解槽２５内に移流可能となっている。排水流入室２９内で固液分離された生ゴミ懸濁液は第１連通口３２を介して固液分離室３０内に移流可能となっている。
【００１８】
（好気分解槽）
好気分解槽２５は排水流入室２９から第１オーバーフロー部３４を介して流入してきた生ゴミ排水のうちの浮遊物及び第２連通口３３を介して好気分解槽２５内に移流してきた固形物を好気分解処理して可溶化する。好気分解槽２５内において、底壁３１の下方には好気分解用散気手段としての散気管４１が配置されている。散気管４１には連結管４２を介してブロワ４３が接続されており、このブロワ４３の駆動により好気分解槽２５内には空気（酸素）が連結管４２及び散気管４１の各空気噴出口を介して供給される。散気管４１からの気泡が底壁３１に下方から接触するように散気管４１の配置位置（空気噴出方向）は設定されている。
【００１９】
（好気処理槽）
好気処理槽２７は固液分離室３０から流入してきた生ゴミ懸濁液及び好気分解槽２５で可溶化処理された生ゴミ懸濁液を、さらに好気処理する。好気処理槽２７内において、処理槽２２の好気処理槽２７に面する一側壁（第２隔壁２４と対向する側壁）の上部には、上部が開口した箱体状のフィルタ支持部材５１が着脱可能に設けられている。フィルタ支持部材５１は好気処理槽２７の流出口３６を内側から覆うようにして設けられている。フィルタ支持部材５１の底壁５１ａは処理槽２２（好気処理槽２７）の内底面に対して所定角度をなすように傾斜している。底壁５１ａには単数又は複数の所定の目開きを有する網目状のフィルタ５２が設けられている。フィルタ支持部材５１の下部から中間部にわたって好気処理槽２７内の生ゴミ排水に漬かる（水没状態）ように、当該フィルタ支持部材５１の取付け位置が設定されている。
【００２０】
フィルタ支持部材５１の底壁５１ａの下方、即ちフィルタ５２の下方には好気処理用散気手段としての散気管６１が配置されている。散気管６１には連結管６２を介してブロワ４３が接続されており、このブロワ４３の駆動により好気処理槽２７内には空気（酸素）が連結管６２及び散気管６１の各空気噴出口を介して供給される。散気管６１からの気泡がフィルタ５２に下方から接触するように散気管６１の配置位置（空気噴出方向）は設定されている。
【００２１】
好気処理槽２７に貯留された生ゴミ懸濁液中には好気性微生物を着床させる複数の担体７１が投入され、浮遊している。即ち、好気処理槽２７は複数の担体７１を浮遊させる流動床となっている。各担体７１は多孔質のＰＶＡ（ポリビニルアルコール）ゲルにより直径５ｍｍ程度の球状（断面円形だけでなく断面楕円形も含む）に形成されている。ＰＶＡゲルの表面には細かい凹凸があり、好気性微生物の初期付着性に優れている。また、ＰＶＡゲルの内部には表面から無数の細かい孔が連通しており、好気性微生物が侵入及び定着しやすい構造となっている。このため、好気処理槽２７内の菌体濃度（好気性微生物の濃度）が高められる。
【００２２】
（実施形態の作用）
次に、前述のように構成した生ゴミ処理システムの作用について説明する。キッチンシンクの排水口からキッチン排水（一般台所排水）とともに投下された生ゴミは破砕機１２により所定の大きさに破砕される。破砕機１２により破砕された生ゴミ破砕物を含んだ生ゴミ排水（被処理水）は移送管１４を介して固液分離槽２６の排水流入室２９内へ移送される。
【００２３】
（固液分離工程）
排水流入室２９内へ移送されてきた生ゴミ排水中に含まれている固形物（例えば、生ゴミ破砕物などの有機物成分及び卵の殻などの無機物成分）は当該排水流入室２９内を沈降する。この沈降した固形物（以下、「沈降破砕物」という。）は底壁３１に案内されながら第１連通口３２を通過し、さらに第２連通口３３を介して好気分解槽２５内に移流する。また、固形分が分離された生ゴミ排水中の液体分（生ゴミ懸濁液）は第１連通口３２を介して固液分離室３０内へ流れ込む。
【００２４】
一方、生ゴミ排水の流入により排水流入室２９の水位は上昇し、当該排水流入室２９のオーバーフロー分の液体分（生ゴミ懸濁液）は水面の浮遊物（以下、「浮遊破砕物」という。）とともに第１オーバーフロー部３４を介して好気分解槽２５に流れ込む。また、固液分離室３０のオーバーフロー分の生ゴミ排水のうちの液体分は第２オーバーフロー部３５を介して好気処理槽２７内へ流れ込む。
【００２５】
排水流入室２９内の浮遊破砕物の固液分離室３０側への移流は第３隔壁２８により規制される。このため、排水流入室２９内の浮遊破砕物が固液分離室３０を介して好気処理槽２７内へ流れ込むことはない。また、浮遊破砕物は第１オーバーフロー部３４から好気分解槽２５へ流入し、沈降破砕物は第２連通口３３を介して好気分解槽２５内へ移流する。このため、移送管１４からの生ゴミ排水の流入量の多少にかかわらず、浮遊破砕物及び沈降破砕物は必ず好気分解槽２５内へ流入する。浮遊破砕物及び沈降破砕物が好気処理槽２７内へ流れ込むことはないので、固液分離槽２６（厳密には排水流入室２９）の容量を一定以上確保する必要はない。
【００２６】
（好気分解処理工程）
第１オーバーフロー部３４から好気分解槽２５内に流れ込んできた浮遊破砕物及び第２連通口３３から好気分解槽２５内に移流してきた沈降破砕物は、当該好気分解槽２５において好気分解処理される。好気分解処理とは、溶存酸素の存在のもとに様々な好気性微生物が関与して有機性物質、アンモニア性窒素及び臭気などを酸化分解して除去する処理である。即ち、ブロワ４３の駆動により空気（酸素）が連結管４２及び散気管４１を介して好気分解槽２５内へ供給されること（曝気処理）により、生ゴミ破砕物などの有機物の表面に付着した好気性微生物や好気分解槽２５内の好気性微生物が活性化される。この活性化された好気性微生物により生ゴミ排水に含まれる生ゴミ破砕物などの有機物成分が分解され、可溶化（液状化）する。
【００２７】
散気管４１が固液分離槽２６の底壁３１の下方に配置されていることから、散気管４１の各空気噴出口から噴出した気泡は好気分解槽２５内を上昇して底壁３１に下方から接触する。気泡は傾斜した底壁３１により下方から上方に案内されて好気分解槽２５の第１隔壁２３に対向する壁面側へ導かれる。この結果、好気分解槽２５内には図１に矢印で示す左回りの旋回流Ｃ１が生成される。
【００２８】
好気分解槽２５内の生ゴミ排水に含まれる未分解の生ゴミ破砕物も旋回流Ｃ１により好気分解槽２５内を左回りするように流動し、底壁３１に接触しながら好気分解槽２５の第１隔壁２３に対向する壁面側へ導かれる。即ち、好気分解槽２５内の生ゴミ破砕物は旋回流Ｃ１により撹拌される。未分解の生ゴミ破砕物は水流による撹拌により互いにぶつかり合うと共に好気分解槽２５の底壁に接触することによりその微細化が促進される。好気分解処理により例えば１ｍｍ以下に分解された生ゴミ破砕物を含む可溶化処理済みの生ゴミ懸濁液は第２連通口３３を通過して固液分離室３０内に流入し、第２オーバーフロー部３５を介して好気処理槽２７へ流れ込む。
【００２９】
（好気処理工程）
排水流入室２９及び好気分解槽２５から固液分離室３０を介して、それぞれ好気処理槽２７内に流れ込んできた生ゴミ懸濁液や可溶化処理済みの生ゴミ懸濁液は、当該好気処理槽２７において好気処理される。好気処理とは、溶存酸素の存在のもとに様々な好気性微生物が関与して、有機性物質、アンモニア性窒素及び臭気などを酸化分解して除去する処理方法である。即ち、ブロワ４３の駆動により空気（酸素）が連結管６２及び散気管６１を介して好気処理槽２７内に供給されること（曝気処理）により好気分解処理済みの生ゴミ破砕物などの有機物の表面に付着している好気性微生物や担体７１の表面及び内部の好気性微生物が活性化される。この活性化された好気性微生物により生ゴミ排水に含まれる有機物成分が分解される。
【００３０】
散気管６１がフィルタ支持部材５１のフィルタ５２の下方に配置されていることから、散気管６１の空気噴出口から噴出した気泡は好気処理槽２７内を上昇してフィルタ５２に下方から接触する。気泡は傾斜したフィルタ５２に沿うようにして下方から上方に案内される。この結果、好気処理槽２７内には図１に矢印で示す左回りの旋回流Ｃ２が生成される。気泡がフィルタ５２に接触することにより、当該フィルタ５２の網目に生ゴミ排水中の有機物成分が付着することが抑制される。即ち、気泡をフィルタ５２に接触させることにより、当該フィルタ５２のクリーニング効果が得られ、当該フィルタ５２の目詰まりが抑制される。
【００３１】
また、好気処理槽２７内の生ゴミ排水に含まれる未分解の生ゴミ破砕物及び各担体７１も旋回流Ｃ２により撹拌され、好気処理槽２７内を左回りに流動する。これにより、生ゴミ排水は担体７１の表面及び内部に効率的に接触し、この担体７１の表面や内部の好気性微生物により生ゴミ排水中の有機物成分が分解される。好気分解処理済みの生ゴミ排水に含まれる生ゴミ破砕物は可溶化されているので、好気処理が効率的に行われる。また、排水流入室２９における浮遊破砕物や沈降破砕物が好気処理槽２７内に流れ込むこともないので、浮遊物が担体７１の表面に付着したり絡みついたりすることによる好気処理性能の低下も抑制される。このため、好気処理槽２７における好気処理性能が維持される。さらに、各担体７１が旋回流Ｃ２により撹拌されることにより当該各担体７１がフィルタ支持部材５１の底壁５１ａに接触しながら下方から上方に移動する。これにより、底壁５１ａの網目のクリーニング効果がいっそう向上する。
【００３２】
（排出処理工程）
好気処理により微生物分解された処理済み水（生ゴミ懸濁液）はフィルタ支持部材５１のフィルタ５２の網目を通過して流出口３６から処理装置１３の外部（例えば下水道）へ流出する。
【００３３】
（実施形態の効果）
従って、本実施形態によれば、以下の効果を得ることができる。
（１）排水流入室２９と固液分離室３０とは第３隔壁２８により隔離されており、当該第３隔壁２８により生ゴミ排水中の浮遊破砕物の固液分離室３０への移流が防止される。生ゴミ排水中の浮遊破砕物は排水流入室２９のオーバーフロー分の生ゴミ排水と共に第１隔壁２３の第１オーバーフロー部３４を介して好気分解槽２５へ流れ込む。このため、生ゴミ排水中の浮遊破砕物が好気処理槽２７へ流れ込むことはない。また、沈降破砕物は第２連通口３３を介して好気分解槽２５へ移流する。従って、移送管１４と処理槽２２との間に生ゴミ排水中の生ゴミ破砕物（固形物）と生ゴミ懸濁液（液体分）とを分離する分離装置を別途設ける必要はない。また、前述のオーバーフローにより浮遊破砕物は好気分解槽２５へのみ流れ込むことから、好気処理槽２７の処理性能を低下させる浮遊破砕物を前段で処理する必要がない。即ち、好気処理槽２７の前段に嫌気槽を設ける必要はない。従って、処理槽２２の小型化が図られる。
【００３４】
（２）排水流入室２９に流れ込んできた生ゴミ排水中の生ゴミ破砕物は浮遊破砕物と沈降破砕物へ容易に分離し、これら浮遊破砕物及び沈降破砕物が固液分離室３０へ流れ込むこと、ひいては好気処理槽２７へ流れ込むことはない。一方、好気処理槽２７の生ゴミ排水中には好気性微生物を着床させる複数の担体７１（微生物担体）を浮遊させる流動床としたので、好気処理槽２７では有機物成分を容易に処理可能である。このため、排水流入室２９へ流入する生ゴミ排水の量に基づいて当該排水流入室２９の容量を一定以上確保する必要はない。即ち、排水流入室２９の容量以上の生ゴミ排水が当該排水流入室２９内へ流入した場合であっても、生ゴミ破砕物（沈降破砕物及び浮遊破砕物）が固液分離室３０、ひいては好気処理槽２７へ流出することがないので、排水流入室２９への生ゴミ排水の流入量を考慮する必要はない。従って、排水流入室２９、ひいては固液分離槽２６の小型化が可能となる。
【００３５】
（３）固液分離槽２６（排水流入室２９）へ流れ込んだ生ゴミ排水中の沈降破砕物は排水流入室２９内を沈降し、第２連通口３３を介して好気分解槽２５へ移流する。固液分離槽２６（排水流入室２９）の水面に浮遊する浮遊破砕物はオーバーフローにより好気分解槽２５へ流れ込むようにした。このため、生ゴミ排水中の固形分と液体分とを予め分離して当該固形分を好気分解槽２５へ移送する分離装置が不要となる。また、生ゴミ排水中の固形分と液体分とを分離する分離装置（図示略）を別途設けて、当該分離装置により予め分離した固形分を好気分解槽２５へ移流するようにした場合に比べて、構成が簡単になる。
【００３６】
（４）好気分解槽２５内において、固液分離槽２６の底壁３１の下方には散気管４１を配置し、当該散気管４１から噴出した気泡を固液分離槽２６の底壁３１に下方から接触させるようにした。散気管４１からの気泡が固液分離槽２６の底壁３１により下方から上方へ案内されることにより、好気分解槽２５内には図１における左回りの旋回流Ｃ１が発生する。このため、好気分解槽２５内の生ゴミ破砕物及び生ゴミ懸濁液の撹拌効果が得られ、好気分解処理効率を向上させることができる。  
（別例）
尚、前記実施形態は以下のような別例に変更して実施してもよい。
【００３７】
・本実施形態では、排水流入室２９内の沈降破砕物は固液分離槽２６の底壁３１により案内されながら第２連通口３３を介して好気分解槽２５内に移流するようにしたが、次のようにしてもよい。即ち、底壁３１に単数又は複数のフィルタを設ける。このようにすれば、好気分解槽２５内の生ゴミ懸濁液の固液分離槽２６（厳密には、固液分離室３０）内への移流が円滑に行われる。好気分解槽２５内の未処理生ゴミ破砕物（前記フィルタの目開きよりも大きな粒度を有する未分解固形物）の固液分離槽２６（排水流入室２９及び固液分離室３０）への移流が防止される。
【００３８】
・本実施形態では、処理槽２２を第１隔壁２３及び第２隔壁２４により好気分解槽２５、固液分離槽２６及び好気処理槽２７の３槽に区画するようにしたが、各槽をそれぞれ別体とし、それらを組み合わせることにより処理槽２２を構成するようにしてもよい。このようにしても、本実施形態における（１）〜（４）と同様の効果を得ることができる。
【００３９】
（付記）
次に前記実施形態及び別例から把握できる技術的思想を以下に追記する。
（イ）前記好気分解槽と固液分離槽とを区画する第１隔壁の下部側を好気処理槽側へ傾斜させることにより当該固液分離槽の底壁を構成し、当該底壁と浮遊破砕物移流防止壁の下端縁との間に前記第１連通口を形成すると共に、当該底壁の下端縁と第２隔壁との間に前記第２連通口を形成するようにした請求項２に記載の生ゴミ処理システム。
【００４０】
この構成によれば、請求項２に記載の発明の作用に加えて、好気分解槽内に固液分離槽が区画形成されるので、いっそう小型化が図られる。また、固液分離槽の底壁が好気処理槽側へ傾斜することにより、排水流入室内において沈降する沈降破砕物は当該固液分離槽の底壁に案内されながら第１連通口を通過し、さらに第２連通口を介して好気分解槽内へ円滑に移流される。
【００４１】
（ロ）前記好気分解槽内において、前記固液分離槽の底壁の下方には好気分解槽内に空気を送り込む好気分解用散気手段を配置し、当該好気分解用散気手段により発生した気泡を前記固液分離槽の底壁に下方から接触させるようにした前記（イ）項に記載の生ゴミ処理システム。
【００４２】
この構成によれば、（イ）項に記載の発明の作用に加えて、好気分解槽内に置いて、好気分解用散気手段により発生した気泡は固液分離槽の底壁に下方から接触する。気泡が固液分離槽の底壁により下方から上方へ案内されることにより、好気分解槽内には所定方向の旋回流が発生する。このため、好気分解槽内の生ゴミ破砕物及び生ゴミ懸濁液の撹拌効果が得られる。
【００４３】
（ハ）前記好気処理槽の生ゴミ排水中には好気性微生物を着床させる複数の微生物担体を浮遊させる流動床とした請求項１、請求項２、（イ）項及び（ロ）項のうちいずれか一項に記載の生ゴミ処理システム。
【００４４】
この構成によれば、請求項１、請求項２、（イ）項及び（ロ）項のうちいずれか一項に記載の発明の作用に加えて、好気処理槽へ移流されてきた生ゴミ懸濁液中の可溶化成分は微生物担体に着床された好気性微生物により処理される。
【００４５】
（ニ）前記好気処理槽における好気処理済みの生ゴミ懸濁液の流出口を内側から覆うようにフィルタ支持部材を設けると共に当該フィルタ支持部材の底壁を斜状に且つ水没状態に設け、当該底壁には単数又は複数のフィルタを設けると共に当該フィルタの下方には該好気処理槽内に空気を送り込む好気処理用散気手段を配置し、当該好気処理用散気手段により発生した気泡を前記フィルタに下方から接触させるようにした請求項１、請求項２、（イ）項、（ロ）項及び（ハ）項のうちいずれか一項に記載の生ゴミ処理システム。
【００４６】
この構成によれば、請求項１、請求項２、前記（イ）項、（ロ）項及び（ハ）項のうちいずれか一項に記載の発明の作用に加えて、好気処理槽内の好気処理済みの生ゴミ懸濁液は流出口を介して外部に流出する。この際、好気処理槽の流出口に設けられたフィルタにより固形物（未分解の生ゴミ破砕物や余剰汚泥など）の流出が抑制される。また、フィルタ支持部材のフィルタには、散気手段からの気泡が下方から接触する。このため、フィルタの目詰まりが抑制される。
【図面の簡単な説明】
【００４７】
【図１】本実施形態の生ゴミ処理システムの概略構成図。
【符号の説明】
【００４８】
１１…生ゴミ処理システム、１２…破砕機、１４…移送管（移送手段）、
２２…処理槽、２３…第１隔壁、２４…第２隔壁、２５…好気分解槽、
２６…固液分離槽、２７…好気処理槽、２８…第３隔壁（浮遊破砕物移流防止壁）、
２９…排水流入室、３０…固液分離室、３１…固液分離槽の底壁、３２…第１連通口、３３…第２連通口、３４…第１オーバーフロー部、３５…第２オーバーフロー部、
３６…流出口、４１，６１…散気管（散気手段）、５１…フィルタ支持部材、
５１ａ…底壁、５２…フィルタ、７１…担体（微生物担体）。
【図１】
2005131555.tif 000003